(57)【要約】【課題】摩擦体を取り付けた軸筒の後端開口部における軸筒内部と軸筒外部との通気を確実に遮断できる熱変色性筆記具を提供する。【解決手段】軸筒２の内部に熱変色性インキを収容する。軸筒２の前端に前記熱変色性インキが吐出可能なペン先４を設ける。軸筒２の後端に、熱変色性インキによる熱変色性の筆跡を摩擦しその際に生じる摩擦熱で前記熱変色性の筆跡を熱変色させる摩擦体５を設ける。摩擦体５の外面に環状の外側シール部５１ｂを設ける。軸筒２の後端開口部内面に環状の内側シール部２２を設ける。外側シール部５１ｂと内側シール部２２とを気密嵌合させることにより、軸筒２の後端開口部における軸筒２内部と軸筒２外部との間の通気を遮断する。【選択図】  図１
2011079205.tif 000002
【特許請求の範囲】
【請求項１】
軸筒の内部に熱変色性インキを収容し、前記軸筒の前端に前記熱変色性インキが吐出可能なペン先を設け、前記軸筒の後端に、前記熱変色性インキによる熱変色性の筆跡を摩擦しその際に生じる摩擦熱で前記熱変色性の筆跡を熱変色させる摩擦体を設けた熱変色性筆記具であって、摩擦体の外面に環状の外側シール部を設け、軸筒の後端開口部内面に環状の内側シール部を設け、前記外側シール部と前記内側シール部とを気密嵌合させることにより、前記軸筒の後端開口部における軸筒内部と軸筒外部との間の通気を遮断することを特徴とする熱変色性筆記具。
【請求項２】
摩擦体が、挿入部と、該挿入部の後方に形成される摩擦部とからなり、前記挿入部が軸筒の後端開口部に後方から前方に挿入され、前記摩擦部が軸筒の後端より後方に突出され、前記挿入部の外面に外側シール部を形成した請求項１記載の熱変色性筆記具。
【請求項３】
軸筒の後端開口部内面に環状の内向突起を形成し、前記内向突起に内側シール部を形成し、摩擦体の挿入部の外面に外向突起を形成し、前記外向突起よりも後方の摩擦体の外面に外側シール部を形成し、前記外向突起と前記内向突起とが乗り越え係合してなる請求項２記載の熱変色性筆記具。
【請求項４】
軸筒の後端開口部内面に内向突起を形成し、前記内向突起よりも前方に内側シール部を形成し、摩擦体の挿入部の外面に環状の外向突起を形成し、前記外向突起に外側シール部を形成し、前記外向突起と前記内向突起とが乗り越え係合してなる請求項２記載の熱変色性筆記具。
【請求項５】
軸筒の後端開口部内面に内向突起を形成し、前記内向突起よりも前方の軸筒の後端開口内面に内側シール部を形成し、摩擦体の挿入部の外面に外向突起を形成し、前記外向突起よりも前方の挿入部の外面に外側シール部を形成し、前記外向突起と前記内向突起とが乗り越え係合してなる請求項２記載の熱変色性筆記具。
【請求項６】
軸筒の後端開口部内面にメネジ部を形成し、前記メネジ部よりも前方の軸筒の後端開口内面に内側シール部を形成し、摩擦体の挿入部の外面にオネジ部を形成し、前記オネジ部よりも前方の挿入部の外面に外側シール部を形成し、前記メネジ部と前記オネジ部とが螺合してなる請求項２記載の熱変色性筆記具。
【発明の詳細な説明】
【技術分野】
【０００１】
本発明は、熱変色性筆記具に関する。詳細には、軸筒の内部に熱変色性インキを収容し、前記軸筒の前端に前記熱変色性インキが吐出可能なペン先を設け、前記軸筒の後端に、前記熱変色性インキによる熱変色性の筆跡を摩擦しその際に生じる摩擦熱で前記熱変色性の筆跡を熱変色させる摩擦体を設けた熱変色性筆記具に関する。
【背景技術】
【０００２】
従来、この種の筆記具において、例えば、特許文献１には、熱変色性の筆跡を摩擦熱により熱変色させる摩擦体を、軸筒の後端に設けた構成が記載されている。前記特許文献１において、筆記具がインキ逆流防止体を備えたゲルインキボールペンの場合、インキ逆流防止体の後方の軸筒内部空間と、軸筒外部との通気が必要であり、前記特許文献１の図２には、通気孔を備えた摩擦体によって、軸筒内部と軸筒外部との間の通気を許容する構造が記載されている。
【先行技術文献】
【特許文献】
【０００３】
【特許文献１】特開２００８−１５５６２４号公報
【発明の概要】
【発明が解決しようとする課題】
【０００４】
前記従来の熱変色性筆記具において、軸筒の後端開口部に摩擦体を取り付け、前記軸筒の後端開口部における軸筒内部と軸筒外部との通気を確実に遮断できるものは、未だ提案されていない。
【０００５】
本発明は、摩擦体を取り付けた軸筒の後端開口部における軸筒内部と軸筒外部との通気を確実に遮断できる熱変色性筆記具を提供しようとするものである。
尚、本発明で、「前」とはペン先側を指し、「後」とはその反対側（摩擦体側）を指す。
【課題を解決するための手段】
【０００６】
＜１＞本願の第１の発明は、軸筒２の内部に熱変色性インキを収容し、前記軸筒２の前端に前記熱変色性インキが吐出可能なペン先４を設け、前記軸筒２の後端に、前記熱変色性インキによる熱変色性の筆跡を摩擦しその際に生じる摩擦熱で前記熱変色性の筆跡を熱変色させる摩擦体５を設けた熱変色性筆記具であって、摩擦体５の外面に環状の外側シール部５１ｂを設け、軸筒２の後端開口部内面に環状の内側シール部２２を設け、前記外側シール部５１ｂと前記内側シール部２２とを気密嵌合させることにより、前記軸筒２の後端開口部における軸筒２内部と軸筒２外部との間の通気を遮断することを要件とする。（図１乃至図８参照）
【０００７】
前記第１の発明の熱変色性筆記具１は、摩擦体５の外面に環状の外側シール部５１ｂを設け、軸筒２の後端開口部内面に環状の内側シール部２２を設け、前記外側シール部５１ｂと前記内側シール部２２とを気密嵌合させるにより、前記軸筒２の後端開口部における軸筒２内部と軸筒２外部との間の通気を遮断することにより、摩擦体５を取り付けた軸筒２の後端開口部における軸筒２内部と軸筒２外部との通気を確実に遮断できる。また、前記第１の発明の熱変色性筆記具１は、摩擦体５によって直接、軸筒２の後端開口部を密封し、軸筒２の後端開口部を介する軸筒２内部と軸筒２外部との間の通気を遮断する構成のため、部品点数の増加を抑えることができる。
【０００８】
＜２＞本願の第２の発明は、前記第１の発明の熱変色性筆記具１において、摩擦体５が、挿入部５１と、該挿入部５１の後方に形成される摩擦部５２とからなり、前記挿入部５１が軸筒２の後端開口部に後方から前方に挿入され、前記摩擦部５２が軸筒２の後端より後方に突出され、前記挿入部５１の外面に外側シール部５１ｂを形成したことを要件とする。（図１乃至図８参照）
【０００９】
前記第２の発明の熱変色性筆記具１は、前記構成により、挿入部５１の外面の外側シール部５１ｂと、軸筒２の後端開口部内面の内側シール部２２との確実な気密嵌合が得られるとともに、摩擦体５を軸筒２後端より後方に十分に突出させることができる。
【００１０】
＜３＞本願の第３の発明は、前記第２の発明の熱変色性筆記具１において、軸筒２の後端開口部内面に環状の内向突起２１を形成し、前記内向突起２１に内側シール部２２を形成し、摩擦体５の挿入部５１の外面に外向突起５１ａを形成し、前記外向突起５１ａよりも後方の摩擦体５の外面に外側シール部５１ｂを形成し、前記外向突起５１ａと前記内向突起２１とが乗り越え係合してなることを要件とする。（図１、図２参照）
【００１１】
前記第３の発明の熱変色性筆記具１は、前記構成により、摩擦体５を取り付けた軸筒２の後端開口部における軸筒２内部と軸筒２外部との通気を確実に遮断できる。
【００１２】
＜４＞本願の第４の発明は、前記第２の発明の熱変色性筆記具１において、軸筒２の後端開口部内面に内向突起２１を形成し、前記内向突起２１よりも前方に内側シール部２２を形成し、摩擦体５の挿入部５１の外面に環状の外向突起５１ａを形成し、前記外向突起５１ａに外側シール部５１ｂを形成し、前記外向突起５１ａと前記内向突起２１とが乗り越え係合してなることを要件とする。（図３、図４参照）
【００１３】
前記第４の発明の熱変色性筆記具１は、前記構成により、摩擦体５を取り付けた軸筒２の後端開口部における軸筒２内部と軸筒２外部との通気を確実に遮断できる。
【００１４】
＜５＞本願の第５の発明は、前記第２の発明の熱変色性筆記具１において、軸筒２の後端開口部内面に内向突起２１を形成し、前記内向突起２１よりも前方の軸筒２の後端開口内面に内側シール部２２を形成し、摩擦体５の挿入部５１の外面に外向突起５１ａを形成し、前記外向突起５１ａよりも前方の挿入部５１の外面に外側シール部５１ｂを形成し、前記外向突起５１ａと前記内向突起２１とが乗り越え係合してなることを要件とする。（図５、図６参照）
【００１５】
前記第５の発明の熱変色性筆記具１は、前記構成により、摩擦体５を取り付けた軸筒２の後端開口部における軸筒２内部と軸筒２外部との通気を確実に遮断できる。
【００１６】
＜６＞本願の第６の発明は、前記第２の発明の熱変色性筆記具１において、軸筒２の後端開口部内面にメネジ部２３を形成し、前記メネジ部２３よりも前方の軸筒２の後端開口内面に内側シール部２２を形成し、摩擦体５の挿入部５１の外面にオネジ部５１ｃを形成し、前記オネジ部５１ｃよりも前方の挿入部５１の外面に外側シール部５１ｂを形成し、前記メネジ部２３と前記オネジ部５１ｃとが螺合してなることを要件とする。（図７、図８参照）
【００１７】
前記第６の発明の熱変色性筆記具１は、前記構成により、摩擦体５を取り付けた軸筒２の後端開口部における軸筒２内部と軸筒２外部との通気を確実に遮断できる。
【発明の効果】
【００１８】
本発明の熱変色性筆記具は、摩擦体を取り付けた軸筒の後端開口部における軸筒内部と軸筒外部との通気を確実に遮断できる。
【図面の簡単な説明】
【００１９】
【図１】本発明の第１の実施の形態の縦断面図である。
【図２】図１の要部拡大図である。
【図３】本発明の第２の実施の形態の縦断面図である。
【図４】図３の要部拡大図である。
【図５】本発明の第３の実施の形態の縦断面図である。
【図６】図５の要部拡大図である。
【図７】本発明の第４の実施の形態の縦断面図である。
【図８】図７の要部拡大図である。
【発明を実施するための形態】
【００２０】
＜第１の実施の形態＞
本発明の第１の実施の形態を説明する（図１及び図２参照）。
【００２１】
本実施の形態の熱変色性筆記具１は、軸筒２と、該軸筒２内に収容され且つ内部に熱変色性インキが収容されるインキ吸蔵体３と、該インキ吸蔵体３に接続され且つ軸筒２の前端開口部に取り付けられるペン先４と、軸筒２の後端開口部に取り付けられる摩擦体５とからなる。
【００２２】
・軸筒
前記軸筒２は、円筒状の前軸２ａと、円筒状の後軸２ｂとからなる。前記前軸２ａの後端部と前記後軸２ｂの前端部は、螺合または嵌合により連結される。前記前軸２ａ及び後軸２ｂは、合成樹脂（例えば、ポリプロピレン）の成形体から得られる。前記軸筒２（後軸２ｂ）の後端開口部の内面には、環状の内向突起２１が一体に形成される。前記内向突起２１の前面は、垂直面となり、前記内向突起２１の後面には、テーパ面（即ち後方に向かうに従い内径が大きくなる面）が形成される。前記内向突起２１の径方向頂部が環状の内側シール部２２を構成する。前記内向突起２１よりも前方の軸筒２の内面には、軸方向に延びる複数のリブ２４が一体に形成される。
【００２３】
・インキ吸蔵体
前記インキ吸蔵体３は、インキを含浸可能な連続気孔を有する部材（即ち多孔質材料）からなるものであればよく、例えば、繊維束の熱融着加工体、繊維束の樹脂加工体、フェルトの樹脂加工体、フェルトのニードルパンチ加工体、合成樹脂の連続気泡体等が挙げられる。また、前記インキ吸蔵体は、その外周面に合成樹脂フィルム等よりなる外皮を備える構成でもよい。尚、前記インキ吸蔵体の前面にペン先の後端部が突き刺し接続される。
【００２４】
前記インキ吸蔵体３の内部に熱変色性インキが含浸されている。前記熱変色性インキは、加熱により消色するタイプ、または、加熱により発色するタイプが採用される。前記インキ吸蔵体３の後端は前記軸筒２内面のリブ２４に当接される。
【００２５】
・ペン先
前記ペン先４は、軸筒２（前軸２ａ）の前端に取り付けられる。前記ペン先４より熱変色性インキが吐出される。前記ペン先４は、繊維の樹脂加工体からなる。前記ペン先４は、これ以外にも、例えば、ボールペンチップ、繊維束の熱融着加工体、フェルト加工体、パイプ状ペン体、先端にスリットを有する万年筆型板状ペン体、毛筆ペン体、合成樹脂の多孔質気泡体、軸方向のインキ誘導路を有する合成樹脂の押出成形体等が挙げられる。
【００２６】
・摩擦体
前記摩擦体５は、有底筒状を有する弾性材料の成形体からなる。前記摩擦体５は、小外径の挿入部５１と、その後方に一体に連設される大外径の摩擦部５２とからなる。前記挿入部５１の前端部の外面には環状の外向突起５１ａが一体に形成される。前記外向突起５１ａの前面には、テーパ面（即ち後方に向かうに従い外径が大きくなる面）が形成され、前記外向突起５１ａの後面は、垂直面となっている。
【００２７】
前記外向突起５１ａの後方の挿入部５１の外周面は、縮径され、環状の平滑面からなる外側シール部５１ｂが形成される。前記外側シール部５１ｂの外径は、前記内側シール部２２の内径より僅かに大きく形成される。
【００２８】
前記摩擦部５２は、軸筒２の後端より後方に突出される。前記摩擦部５２は、球面状または凸曲面状の表面を有する。前記摩擦部５２は、前端に鍔部５２ａを備え、前記鍔部５２ａが軸筒２の後端に当接される。前記摩擦部５２の外径は、前方に向かうに従い次第に大きくなり、鍔部５２ａが最大外径部となる。前記鍔部５２ａの外径は、軸筒２の後端内径より大きく設定される。
【００２９】
前記摩擦体５の弾性材料は、例えば、ＳＢＳ樹脂、ＳＥＢＳ樹脂、またはシリコーン樹脂等の弾性樹脂材料が挙げられる。前記摩擦体５を構成する弾性材料は、高摩耗性の弾性樹脂（例えば、消しゴム等）からなるものよりも、摩擦時に摩耗カス（消しカス）が殆ど生じない低摩耗性の弾性樹脂からなるものが採用される。前記摩擦体５の摩擦部５２を用いて、熱変色性インキによる熱変色性の筆跡を摩擦すると、その際に生じる摩擦熱で熱変色性の筆跡が熱変色する。
【００３０】
・作用
前記摩擦体５の挿入部５１は、軸筒２の後端開口部に後方から前方に挿入される。その際、前記挿入部５１の外向突起５１ａが、軸筒２の後端開口部内面の内向突起２１を、後方から前方に乗り越え、外向突起５１ａと内向突起２１とが乗り越え係合され、摩擦体５の脱落が防止される。前記外向突起５１ａと内向突起２１とが乗り越え係合すると同時に、挿入部５１外面の外側シール部５１ｂと、軸筒２の後端開口部内面の内向突起２１の内側シール部２２とが気密嵌合する。前記外側シール部５１ｂと内側シール部２２との気密嵌合により、軸筒２内部と軸筒２外部との軸筒２の後端開口部を介する通気が遮断される。
【００３１】
＜第２の実施の形態＞
本発明の第２の実施の形態を説明する（図３及び図４参照）。
【００３２】
本実施の形態の熱変色性筆記具１は、軸筒２と、該軸筒２内に収容され且つ内部に熱変色性インキが収容されるインキ吸蔵体３と、該インキ吸蔵体３に接続され且つ軸筒２の前端開口部に取り付けられるペン先４と、軸筒２の後端開口部に取り付けられる摩擦体５とからなる。
【００３３】
・軸筒
前記軸筒２は、円筒状の前軸２ａと、円筒状の後軸２ｂとからなる。前記前軸２ａの後端部と前記後軸２ｂの前端部は、螺合または嵌合により連結される。前記前軸２ａ及び後軸２ｂは、合成樹脂（例えば、ポリプロピレン）の成形体から得られる。前記軸筒２（後軸２ｂ）の後端開口部の内面には、環状の内向突起２１が一体に形成される。前記内向突起２１の前面は、垂直面となり、前記内向突起２１の後面には、テーパ面（即ち後方に向かうに従い内径が大きくなる面）が形成される。前記軸筒２の後端開口部内面の内向突起２１の前方に、環状の平滑面からなる内側シール部２２が形成される。前記内向突起２１よりも前方の軸筒２の内面には、軸方向に延びる複数のリブ２４が一体に形成される。
【００３４】
・インキ吸蔵体
前記インキ吸蔵体３は、インキを含浸可能な連続気孔を有する部材（即ち多孔質材料）からなるものであればよく、例えば、繊維束の熱融着加工体、繊維束の樹脂加工体、フェルトの樹脂加工体、フェルトのニードルパンチ加工体、合成樹脂の連続気泡体等が挙げられる。また、前記インキ吸蔵体は、その外周面に合成樹脂フィルム等よりなる外皮を備える構成でもよい。尚、前記インキ吸蔵体の前面にペン先の後端部が突き刺し接続される。
【００３５】
前記インキ吸蔵体３の内部に熱変色性インキが含浸されている。前記熱変色性インキは、加熱により消色するタイプ、または、加熱により発色するタイプが採用される。前記インキ吸蔵体３の後端は前記軸筒２内面のリブ２４に当接される。
【００３６】
・ペン先
前記ペン先４は、軸筒２（前軸２ａ）の前端に取り付けられる。前記ペン先４より熱変色性インキが吐出される。前記ペン先４は、繊維の樹脂加工体からなる。前記ペン先４は、これ以外にも、例えば、ボールペンチップ、繊維束の熱融着加工体、フェルト加工体、パイプ状ペン体、先端にスリットを有する万年筆型板状ペン体、毛筆ペン体、合成樹脂の多孔質気泡体、軸方向のインキ誘導路を有する合成樹脂の押出成形体等が挙げられる。
【００３７】
・摩擦体
前記摩擦体５は、有底筒状を有する弾性材料の成形体からなる。前記摩擦体５は、小外径の挿入部５１と、その後方に一体に連設される大外径の摩擦部５２とからなる。前記挿入部５１の前端部の外面には環状の外向突起５１ａが一体に形成される。前記外向突起５１ａの前面には、テーパ面（即ち後方に向かうに従い外径が大きくなる面）が形成され、前記外向突起５１ａの後面は、垂直面となっている。前記外向突起５１ａの径方向頂部に環状の外側シール部５１ｂが形成される。前記外側シール部５１ｂの外径は、前記内側シール部２２の内径より僅かに大きく形成される。
【００３８】
前記外向突起５１ａの後方の挿入部５１の外周面は、縮径され、その外径は、前記内向突起２１の内径より僅かに小さく形成される。
【００３９】
前記摩擦部５２は、軸筒２の後端より後方に突出される。前記摩擦部５２は、球面状または凸曲面状の表面を有する。前記摩擦部５２は、前端に鍔部５２ａを備え、前記鍔部５２ａが軸筒２の後端に当接される。前記摩擦部５２の外径は、前方に向かうに従い次第に大きくなり、鍔部５２ａが最大外径部となる。前記鍔部５２ａの外径は、軸筒２の後端内径より大きく設定される。
【００４０】
前記摩擦体５の弾性材料は、例えば、ＳＢＳ樹脂、ＳＥＢＳ樹脂、またはシリコーン樹脂等の弾性樹脂材料が挙げられる。前記摩擦体５を構成する弾性材料は、高摩耗性の弾性樹脂（例えば、消しゴム等）からなるものよりも、摩擦時に摩耗カス（消しカス）が殆ど生じない低摩耗性の弾性樹脂からなるものが採用される。前記摩擦体５の摩擦部５２を用いて、熱変色性インキによる熱変色性の筆跡を摩擦すると、その際に生じる摩擦熱で熱変色性の筆跡が熱変色する。
【００４１】
・作用
前記摩擦体５の挿入部５１は、軸筒２の後端開口部に後方から前方に挿入される。その際、前記挿入部５１の外向突起５１ａが、軸筒２の後端開口部内面の内向突起２１を、後方から前方に乗り越え、外向突起５１ａと内向突起２１とが乗り越え係合され、摩擦体５の脱落が防止される。前記外向突起５１ａと内向突起２１とが乗り越え係合すると同時に、挿入部５１の前端部外面の外向突起５１ａの外側シール部５１ｂと、軸筒２の後端開口部内面の内向突起２１よりも前方の内側シール部２２とが気密嵌合する。前記外側シール部５１ｂと内側シール部２２との気密嵌合により、軸筒２内部と軸筒２外部との軸筒２の後端開口部を介する通気が遮断される。
【００４２】
＜第３の実施の形態＞
本発明の第３の実施の形態を説明する（図５及び図６参照）。
【００４３】
本実施の形態の熱変色性筆記具１は、軸筒２と、該軸筒２内に収容され且つ内部に熱変色性インキが収容されるインキ吸蔵体３と、該インキ吸蔵体３に接続され且つ軸筒２の前端開口部に取り付けられるペン先４と、軸筒２の後端開口部に取り付けられる摩擦体５とからなる。
【００４４】
・軸筒
前記軸筒２は、円筒状の前軸２ａと、円筒状の後軸２ｂとからなる。前記前軸２ａの後端部と前記後軸２ｂの前端部は、螺合または嵌合により連結される。前記前軸２ａ及び後軸２ｂは、合成樹脂（例えば、ポリプロピレン）の成形体から得られる。前記軸筒２（後軸２ｂ）の後端開口部の内面には、環状の内向突起２１が一体に形成される。前記軸筒２の後端開口部の内面の内向突起２１よりも前方には、環状の平滑面からなる内側シール部２２が一体に形成される。前記内向突起２１よりも前方の軸筒２の内面には、軸方向に延びる複数のリブ２４が一体に形成される。
【００４５】
・インキ吸蔵体
前記インキ吸蔵体３は、インキを含浸可能な連続気孔を有する部材（即ち多孔質材料）からなるものであればよく、例えば、繊維束の熱融着加工体、繊維束の樹脂加工体、フェルトの樹脂加工体、フェルトのニードルパンチ加工体、合成樹脂の連続気泡体等が挙げられる。また、前記インキ吸蔵体は、その外周面に合成樹脂フィルム等よりなる外皮を備える構成でもよい。尚、前記インキ吸蔵体の前面にペン先の後端部が突き刺し接続される。
【００４６】
前記インキ吸蔵体３の内部に熱変色性インキが含浸されている。前記熱変色性インキは、加熱により消色するタイプ、または、加熱により発色するタイプが採用される。前記インキ吸蔵体３の後端は前記軸筒２内面のリブ２４に当接される。
【００４７】
・ペン先
前記ペン先４は、軸筒２（前軸２ａ）の前端に取り付けられる。前記ペン先４より熱変色性インキが吐出される。前記ペン先４は、繊維の樹脂加工体からなる。前記ペン先４は、これ以外にも、例えば、ボールペンチップ、繊維束の熱融着加工体、フェルト加工体、パイプ状ペン体、先端にスリットを有する万年筆型板状ペン体、毛筆ペン体、合成樹脂の多孔質気泡体、軸方向のインキ誘導路を有する合成樹脂の押出成形体等が挙げられる。
【００４８】
・摩擦体
前記摩擦体５は、有底筒状を有する弾性材料の成形体からなる。前記摩擦体５は、小外径の挿入部５１と、その後方に一体に連設される大外径の摩擦部５２とからなる。前記挿入部５１の前端部の外周面には環状の外向突起５１ａが一体に形成される。前記挿入部５１の前端部の外面の外向突起５１ａよりも前方には、環状突起よりなる外側シール部５１ｂが一体に形成される。
【００４９】
前記摩擦部５２は、軸筒２の後端より後方に突出される。前記摩擦部５２は、球面状または凸曲面状の表面を有する。前記摩擦部５２は、前端に鍔部５２ａを備え、前記鍔部５２ａが軸筒２の後端に当接される。前記摩擦部５２の外径は、前方に向かうに従い次第に大きくなり、鍔部５２ａが最大外径部となる。前記鍔部５２ａの外径は、軸筒２の後端内径より大きく設定される。
【００５０】
前記摩擦体５の弾性材料は、例えば、ＳＢＳ樹脂、ＳＥＢＳ樹脂、またはシリコーン樹脂等の弾性樹脂材料が挙げられる。前記摩擦体５を構成する弾性材料は、高摩耗性の弾性樹脂（例えば、消しゴム等）からなるものよりも、摩擦時に摩耗カス（消しカス）が殆ど生じない低摩耗性の弾性樹脂からなるものが採用される。前記摩擦体５の摩擦部５２を用いて、熱変色性インキによる熱変色性の筆跡を摩擦すると、その際に生じる摩擦熱で熱変色性の筆跡が熱変色する。
【００５１】
・作用
前記摩擦体５の挿入部５１は、軸筒２の後端開口部に後方から前方に挿入される。その際、前記挿入部５１の外向突起５１ａが、軸筒２の後端開口部内面の内向突起２１を、後方から前方に乗り越え、外向突起５１ａと内向突起２１とが乗り越え係合され、摩擦体５の脱落が防止される。前記外向突起５１ａと内向突起２１とが乗り越え係合すると同時に、挿入部５１外面の外側シール部５１ｂと、軸筒２の後端開口部内面の内側シール部２２とが気密嵌合する。前記外側シール部５１ｂと内側シール部２２との気密嵌合により、軸筒２内部と軸筒２外部との軸筒２の後端開口部を介する通気が遮断される。
【００５２】
＜第４の実施の形態＞
本発明の第４の実施の形態を説明する（図７及び図８参照）。
【００５３】
本実施の形態の熱変色性筆記具１は、軸筒２と、該軸筒２内に収容され且つ内部に熱変色性インキが収容されるインキ吸蔵体３と、該インキ吸蔵体３に接続され且つ軸筒２の前端開口部に取り付けられるペン先４と、軸筒２の後端開口部に取り付けられる摩擦体５とからなる。
【００５４】
・軸筒
前記軸筒２は、円筒状の前軸２ａと、円筒状の後軸２ｂとからなる。前記前軸２ａの後端部と前記後軸２ｂの前端部は、螺合または嵌合により連結される。前記前軸２ａ及び後軸２ｂは、合成樹脂（例えば、ポリプロピレン）の成形体から得られる。前記軸筒２（後軸２ｂ）の後端開口部の内面には、メネジ部２３が一体に形成される。前記軸筒２の後端開口部の内面のメネジ部２３よりも前方には、環状の平滑面からなる内側シール部２２が一体に形成される。前記内向突起２１よりも前方の軸筒２の内面には、軸方向に延びる複数のリブ２４が一体に形成される。
【００５５】
・インキ吸蔵体
前記インキ吸蔵体３は、インキを含浸可能な連続気孔を有する部材（即ち多孔質材料）からなるものであればよく、例えば、繊維束の熱融着加工体、繊維束の樹脂加工体、フェルトの樹脂加工体、フェルトのニードルパンチ加工体、合成樹脂の連続気泡体等が挙げられる。また、前記インキ吸蔵体は、その外周面に合成樹脂フィルム等よりなる外皮を備える構成でもよい。尚、前記インキ吸蔵体の前面にペン先の後端部が突き刺し接続される。
【００５６】
前記インキ吸蔵体３の内部に熱変色性インキが含浸されている。前記熱変色性インキは、加熱により消色するタイプ、または、加熱により発色するタイプが採用される。前記インキ吸蔵体３の後端は前記軸筒２内面のリブ２４に当接される。
【００５７】
・ペン先
前記ペン先４は、軸筒２（前軸２ａ）の前端に取り付けられる。前記ペン先４より熱変色性インキが吐出される。前記ペン先４は、繊維の樹脂加工体からなる。前記ペン先４は、これ以外にも、例えば、ボールペンチップ、繊維束の熱融着加工体、フェルト加工体、パイプ状ペン体、先端にスリットを有する万年筆型板状ペン体、毛筆ペン体、合成樹脂の多孔質気泡体、軸方向のインキ誘導路を有する合成樹脂の押出成形体等が挙げられる。
【００５８】
・摩擦体
前記摩擦体５は、有底筒状を有する弾性材料の成形体からなる。前記摩擦体５は、小外径の挿入部５１と、その後方に一体に連設される大外径の摩擦部５２とからなる。前記挿入部５１の前端部の外周面には環状突起よりなる外側シール部５１ｂが一体に形成される。前記挿入部５１の外周面の外側シール部５１ｂよりも後方には、オネジ部５１ｃが一体に形成される。
【００５９】
前記摩擦部５２は、軸筒２の後端より後方に突出される。前記摩擦部５２は、球面状または凸曲面状の表面を有する。前記摩擦部５２は、前端に鍔部５２ａを備え、前記鍔部５２ａが軸筒２の後端に当接される。前記摩擦部５２の外径は、前方に向かうに従い次第に大きくなり、鍔部５２ａが最大外径部となる。前記鍔部５２ａの外径は、軸筒２の後端内径より大きく設定される。
【００６０】
前記摩擦体５の弾性材料は、例えば、ＳＢＳ樹脂、ＳＥＢＳ樹脂、またはシリコーン樹脂等の弾性樹脂材料が挙げられる。前記摩擦体５を構成する弾性材料は、高摩耗性の弾性樹脂（例えば、消しゴム等）からなるものよりも、摩擦時に摩耗カス（消しカス）が殆ど生じない低摩耗性の弾性樹脂からなるものが採用される。前記摩擦体５の摩擦部５２を用いて、熱変色性インキによる熱変色性の筆跡を摩擦すると、その際に生じる摩擦熱で熱変色性の筆跡が熱変色する。
【００６１】
・作用
前記摩擦体５の挿入部５１は、軸筒２の後端開口部に後方から前方に挿入される。その際、前記挿入部５１のオネジ部５１ｃが、軸筒２の後端開口部内面のメネジ部２３と螺合され、摩擦体５の脱落が防止される。前記オネジ部５１ｃとメネジ部２３との螺合が完了すると同時に、挿入部５１外面の外側シール部５１ｂと、軸筒２の後端開口部内面の内側シール部２２とが気密嵌合する。前記外側シール部５１ｂと内側シール部２２との気密嵌合により、軸筒２内部と軸筒２外部との軸筒２の後端開口部を介する通気が遮断される。
【符号の説明】
【００６２】
１  熱変色性筆記具
２  軸筒
２ａ  前軸
２ｂ  後軸
２１  内向突起
２２  内側シール部
２３  メネジ部
２４  リブ
３  インキ吸蔵体
４  ペン先
５  摩擦体
５１  挿入部
５１ａ  外向突起
５１ｂ  外側シール部
５１ｃ  オネジ部
５２  摩擦部
５２ａ  鍔部
【図１】
2011079205.tif 000003
【図２】
2011079205.tif 000004
【図３】
2011079205.tif 000005
【図４】
2011079205.tif 000006
【図５】
2011079205.tif 000007
【図６】
2011079205.tif 000008
【図７】
2011079205.tif 000009
【図８】
2011079205.tif 000010